【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する受信手段と、
前記受信手段によって前記携帯端末から受信された前記ページ結合要求の前記ページ選択情報に基づいて、前記選択された複数のページを取得するページ取得手段と、
前記携帯端末で表示可能な表示画像を生成する画像生成手段であって、前記受信手段によって前記携帯端末から前記ページ結合要求を受信した場合、前記ページ結合要求の前記配置選択情報で示された配置パターンに基づいて、前記ページ取得手段によって取得された前記複数のページを結合して１画面の表示画像を生成する画像生成手段と、
前記画像生成手段によって生成された前記１画面の表示画像を前記携帯端末に送信する送信手段と、
を備えたことを特徴とする画像配信サーバ。
【請求項２】
前記ページ結合要求の配置選択情報は、前記携帯端末で選択された前記複数のページを前記携帯端末の画面中でページ間の重なり有りで表示させるか否かを示す情報であって前記携帯端末で選択された結果を示す情報を含み、
前記画像生成手段は、前記複数のページを重なり有りで表示させるか否かを示す情報に基づいて、前記携帯端末で重なり有りが選択されていた場合には前記複数のページのページ間を重ねて前記１画面の表示画像を生成することを特徴とする請求項１に記載の画像配信サーバ。
【請求項３】
前記ページ結合要求の配置選択情報は、前記携帯端末で選択された前記複数のページを前記携帯端末の画面中でページ間の重なり有りで表示する場合における前記携帯端末の画面中の前後の重なり順序を示す情報であって前記携帯端末で指定された重なり順序を示す情報を含み、
前記画像生成手段は、前記配置選択情報中の重なり順序を示す情報に基づいて、前記携帯端末で指定された重なり順序で前記複数のページを前後に重ねて前記１画面の表示画像を生成することを特徴とする請求項２に記載の画像配信サーバ。
【請求項４】
前記ページ結合要求の配置選択情報は、前記携帯端末で選択された前記複数のページを前記携帯端末の画面中でページ間の重なり有りで表示する場合における前記複数のページのうちで少なくとも一方のページの重なり部分の位置を示す情報であって前記携帯端末で指定された位置を示す情報を含み、
前記画像生成手段は、前記配置選択情報中の重なり部分の位置を示す情報に基づいて、前記携帯端末で指定された位置で前記複数のページを前後に重ねて前記１画面の表示画像を生成することを特徴とする請求項２又は３に記載の画像配信サーバ。
【請求項５】
前記ページ結合要求の配置選択情報は、前記携帯端末で選択された前記複数のページを前記携帯端末の画面中でページ間の重なり有りで表示する場合における前記携帯端末の画面中の重なり部分の割合を示す情報であって前記携帯端末で指定された割合を示す情報を含み、
前記画像生成手段は、前記重なり部分の割合を示す情報に基づいて、前記携帯端末で指定された割合で前記複数のページを前後に重ねて前記１画面の表示画像を生成することを特徴とする請求項２から４のうちいずれか１項に記載の画像配信サーバ。
【請求項６】
前記ページ結合要求の配置選択情報は、前記携帯端末で選択された前記複数のページを前記携帯端末の画面中でページ間の重なり有りで表示する場合における前記携帯端末の画面中で前記複数のページの重なり部分を透過して表示するか否かを示す情報であって前記携帯端末で選択された結果を示す情報を含み、
前記画像生成手段は、前記重なり部分を透過して表示するか否かを示す情報に基づいて、前記携帯端末で透過して表示することが選択されていた場合には前記複数のページのうちで一方のページの重なり部分を他方のページに透過させて前記１画面の表示画像を生成することを特徴とする請求項２から５のうちいずれか１項に記載の画像配信サーバ。
【請求項７】
前記ページ結合要求の配置選択情報は、前記携帯端末で選択された前記複数のページ間の重なり部分を透過して表示する場合における前記重なり部分の透過の程度を示す透過度情報であって前記携帯端末で指定された透過の程度を示す透過度情報を含み、
前記画像生成手段は、前記透過度情報で指定された透過の程度に従って前記複数のページのうちで一方のページの重なり部分を他方のページに透過させることを特徴とする請求項６に記載の画像配信サーバ。
【請求項８】
前記画像生成手段は、前記携帯端末で選択された前記複数のページ間の余白部分を検出して、検出された前記複数のページ間の余白部分を切除し、前記１画面の表示画像を生成することを特徴とする請求項１から７のうちいずれか１項に記載の画像配信サーバ。
【請求項９】
前記画像生成手段は、前記受信手段によって前記携帯端末から前記ページ結合要求を受信した場合、前記携帯端末で選択された前記複数のページの全体のうちで前記複数のページ間の結合領域を含む部分画像を生成し、前記受信手段によって前記携帯端末から前記複数のページの全体のうちで前記結合領域とは異なる領域の部分画像の要求を受信した場合、前記携帯端末から要求された領域の部分画像を生成することを特徴とする請求項１から８のうちいずれか１項に記載の画像配信サーバ。
【請求項１０】
前記請求項１から９のうちいずれか１項に記載の画像配信サーバと、前記携帯端末とを備えたことを特徴とする画像配信システム。
【請求項１１】
携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する要求受信ステップと、
前記携帯端末から受信された前記ページ結合要求の前記ページ選択情報に基づいて、前記選択された複数のページを取得するページ取得ステップと、
前記携帯端末で表示可能な表示画像を生成する画像生成ステップであって、前記携帯端末から前記ページ結合要求を受信した場合、前記ページ結合要求の前記配置選択情報で示された配置パターンに基づいて、前記ページ取得ステップにて取得された前記複数のページを結合して１画面の表示画像を生成する画像生成ステップと、
生成された前記１画面の表示画像を前記携帯端末に送信する送信ステップと、
を備えたことを特徴とする画像配信方法。
【請求項１２】
前記ページ結合要求の配置選択情報は、前記携帯端末で選択された前記複数のページを前記携帯端末の画面中でページ間の重なり有りで表示させるか否かを示す情報であって前記携帯端末で選択された結果を示す情報を含み、
前記画像生成ステップでは、前記複数のページを重なり有りで表示させるか否かを示す情報に基づいて、前記携帯端末で重なり有りが選択されていた場合には前記複数のページのページ間を重ねて前記１画面の表示画像を生成することを特徴とする請求項１１に記載の画像配信方法。
【請求項１３】
前記ページ結合要求の配置選択情報は、前記携帯端末で選択された前記複数のページを前記携帯端末の画面中でページ間の重なり有りで表示する場合における前記携帯端末の画面中の前後の重なり順序を示す情報であって前記携帯端末で指定された重なり順序を示す情報を含み、
前記画像生成ステップでは、前記配置選択情報中の重なり順序を示す情報に基づいて、前記携帯端末で指定された重なり順序で前記複数のページを前後に重ねて前記１画面の表示画像を生成することを特徴とする請求項１２に記載の画像配信方法。
【請求項１４】
前記ページ結合要求の配置選択情報は、前記携帯端末で選択された前記複数のページを前記携帯端末の画面中でページ間の重なり有りで表示する場合における前記複数のページのうちで少なくとも一方のページの重なり部分の位置を示す情報であって前記携帯端末で指定された位置を示す情報を含み、
前記画像生成ステップでは、前記配置選択情報中の重なり部分の位置を示す情報に基づいて、前記携帯端末で指定された位置で前記複数のページを前後に重ねて前記１画面の表示画像を生成することを特徴とする請求項１２又は１３に記載の画像配信方法。
【請求項１５】
前記ページ結合要求の配置選択情報は、前記携帯端末で選択された前記複数のページを前記携帯端末の画面中でページ間の重なり有りで表示する場合における前記携帯端末の画面中の重なり部分の割合を示す情報であって前記携帯端末で指定された割合を示す情報を含み、
前記画像生成ステップでは、前記重なり部分の割合を示す情報に基づいて、前記携帯端末で指定された割合で前記複数のページを前後に重ねて前記１画面の表示画像を生成することを特徴とする請求項１２から１４のうちいずれか１項に記載の画像配信方法。
【請求項１６】
前記ページ結合要求の配置選択情報は、前記携帯端末で選択された前記複数のページを前記携帯端末の画面中でページ間の重なり有りで表示する場合における前記携帯端末の画面中で前記複数のページの重なり部分を透過して表示するか否かを示す情報であって前記携帯端末で選択された結果を示す情報を含み、
前記画像生成ステップでは、前記重なり部分を透過して表示するか否かを示す情報に基づいて、前記携帯端末で透過して表示することが選択されていた場合には前記複数のページのうちで一方のページの重なり部分を他方のページに透過させて前記１画面の表示画像を生成することを特徴とする請求項１２から１５のうちいずれか１項に記載の画像配信方法。
【請求項１７】
前記ページ結合要求の配置選択情報は、前記携帯端末で選択された前記複数のページ間の重なり部分を透過して表示する場合における前記重なり部分の透過の程度を示す透過度情報であって前記携帯端末で指定された透過の程度を示す透過度情報を含み、
前記画像生成ステップでは、前記透過度情報で指定された透過の程度に従って前記複数のページのうちで一方のページの重なり部分を他方のページに透過させることを特徴とする請求項１６に記載の画像配信方法。
【請求項１８】
前記画像生成ステップでは、前記携帯端末で選択された前記複数のページ間の余白部分を検出して、検出された前記複数のページ間の余白部分を切除し、前記１画面の表示画像を生成することを特徴とする請求項１１から１７のうちいずれか１項に記載の画像配信方法。
【請求項１９】
前記画像生成ステップでは、前記携帯端末から前記ページ結合要求を受信した場合、前記携帯端末で選択された前記複数のページの全体のうちで前記複数のページ間の結合領域を含む部分画像を生成し、前記携帯端末から前記複数のページの全体のうちで前記結合領域とは異なる領域の部分画像の要求を受信した場合、前記携帯端末から要求された領域の部分画像を生成することを特徴とする請求項１１から１８のうちいずれか１項に記載の画像配信方法。
【請求項２０】
請求項１１から１９のうちいずれか１項の記載の方法をコンピュータ装置に実行させることを特徴とするプログラム。